(57)【要約】【課題】人為的ミスをシステム側で補正でき、信頼性を向上できるブレード型コンピュータ装置及びブレード型コンピュータ装置の制御方法を提供する。【解決手段】ブレード型コンピュータ装置１０及びブレード型コンピュータ装置の制御方法は、サーバブレード収納筐体１１と、サーバブレード収納筐体１１に収納するサーバブレード１２と、サーバブレード１２上に実装する拡張カード１５，１７と、サーバブレード１２上に配置するＩＯ拡張スロット制御機構１３と、サーバブレード収納筐体１１上に実装するスイッチモジュール１８と、スイッチモジュール１８と拡張カード１５，１７との関係から自立的に構成補正を行う管理制御部２４と、を備える。【選択図】図１
2013117897.tif 000002
【特許請求の範囲】
【請求項１】
サーバブレード収納筐体と、
前記サーバブレード収納筐体に収納するサーバブレードと、
前記サーバブレードに実装する拡張カードと、
前記サーバブレードに配置するＩＯ拡張スロット制御機構と、
前記サーバブレード収納筐体に実装するスイッチモジュールと、
前記スイッチモジュールと前記拡張カードとの関係から自立的に構成補正を行う管理制御部と
を備えるブレード型コンピュータ装置。
【請求項２】
前記管理制御部は、前記サーバブレード収納筐体に搭載されるモジュール情報を集中管理、制御を司り、
前記ＩＯ拡張スロット制御機構は、前記管理制御部及び前記サーバブレードに実装する
請求項１に記載のブレード型コンピュータ装置。
【請求項３】
前記管理制御部は、収集した装置情報に基づいてＩＯ構成整合判定辞書のデータを定める
請求項１又は２に記載のブレード型コンピュータ装置。
【請求項４】
前記管理制御部は、前記ＩＯ構成整合判定辞書を用いて制御の状況を画面表示する
請求項１から３のいずれか一項に記載のブレード型コンピュータ装置。
【請求項５】
サーバブレードを収納するサーバブレード収納筐体にスイッチモジュールを実装し、前記サーバブレードに拡張カードを実装し、前記サーバブレードにＩＯ拡張スロット制御機構を配置し、管理制御部により前記スイッチモジュールと前記拡張カードとの関係から自立的に構成補正を行う
ブレード型コンピュータ装置の制御方法。
【請求項６】
前記管理制御部及び前記サーバブレードに前記ＩＯ拡張スロット制御機構を実装し、前記管理制御部が前記サーバブレード収納筐体に搭載されるモジュール情報を集中管理、制御を司る
請求項５に記載のブレード型コンピュータ装置の制御方法。
【請求項７】
前記管理制御部が、収集した装置情報に基づいてＩＯ構成整合判定辞書のデータを定める
請求項５又は６に記載のブレード型コンピュータ装置の制御方法。
【請求項８】
前記管理制御部が、前記ＩＯ構成整合判定辞書を用いて制御の状況を画面表示する
請求項５から７のいずれか一項に記載のブレード型コンピュータ装置の制御方法。
【発明の詳細な説明】
【技術分野】
【０００１】
本発明は、ブレード型コンピュータ装置において拡張スロットとスイッチスロットとの間の接続の自動制御を行うブレード型コンピュータ装置及びブレード型コンピュータ装置の制御方法に関する。
【背景技術】
【０００２】
ブレード型コンピュータ装置として、複数の第１の通信インターフェースを有する複数の入出力装置と、複数の第２の通信インターフェースを有する複数の計算機と、を備えるものがある（例えば、特許文献１参照）。
【０００３】
特許文献１は、通信インターフェースの種類が異なる複数の入出力装置に複数の現用系計算機が通信可能に接続される計算機システムに必要とされる待機系計算機の数を抑えることができる。
【先行技術文献】
【特許文献】
【０００４】
【特許文献１】特開２０１１−１０７８５８号公報
【発明の概要】
【発明が解決しようとする課題】
【０００５】
ところで、特許文献１と同様に、設置密度／運用管理の集約を狙ったサーバプラットフォームとしてプロセッサ、メモリ、ネットワークなどのサーバ機能を配置したサーバブレードを備えるブレード型コンピュータ装置がある。このようなブレード型コンピュータ装置は、電源・ファン・ケーブル・外部インターフェースなどをモジュール化構造としており、各サーバブレード間で共有化を図れるパーツで構成することにより、高い密度実装を実現している。
【０００６】
しかし、このようなブレード型コンピュータ装置は、管理・保守技術は向上しているが、故障したブレードの交換や、シャーシの電源やファンの交換などの物理的な保守作業は、最終的に人の手で行っている。このようなブレード型コンピュータ装置は、特に、サーバブレードに搭載したＩＯ機能を提供する拡張カードの実装位置と外部インターフェースとしてサーバブレード収納筐体側に搭載されるＩＯ機能提供スイッチとの接続関係を正確に把握する必要がある。そのため、このようなブレード型コンピュータ装置は、構築スキルをもった熟練技術者による対応が必須である。
【０００７】
このようなブレード型コンピュータ装置は、以下の課題を有する。ブレード型コンピュータ装置は、ＬＡＮスイッチやＦＣ（ファイバーチャネル）スイッチ等の混在した統合環境を提供するために、ＩＯ資源の物理的集約を図り、高密度実装を重視している。そのため、ブレード型コンピュータ装置は、ＩＯ機能を提供するＩＯスイッチの実装位置とサーバブレード側へ実装するサーバブレード専用ＩＯ拡張カードを搭載するスロット位置との接続関係性を把握するといったスキルを必要とする。その理由は、ブレード型コンピュータ装置が、サーバやネットワーク機器等の複数のコンピュータ機器によって実現した複数のＩＯ機能提供する大規模構成を有する。そして、高集積化したブレード型コンピュータ装置における構造上の制約及び仕様制限のために、コンピュータ機器における主要な提供機能毎に細分化したモジュールと物理的な集約・共通化したモジュールとを組み合わせたからである。
【０００８】
本発明は、前述した課題を解決するためになされたものであり、その目的は、人為的ミスをシステム側で補正でき、信頼性を向上できるブレード型コンピュータ装置及びブレード型コンピュータ装置の制御方法を提供することにある。
【課題を解決するための手段】
【０００９】
本発明に係るブレード型コンピュータ装置は、サーバブレード収納筐体と、前記サーバブレード収納筐体に収納するサーバブレードと、前記サーバブレード上に実装する拡張カードと、前記サーバブレード上に配置するＩＯ拡張スロット制御機構と、前記サーバブレード収納筐体上に実装するスイッチモジュールと、前記スイッチモジュールと前記拡張カードとの関係から自立的に構成補正を行う管理制御部と、を備える。
【００１０】
本発明に係るブレード型コンピュータ装置の制御方法は、サーバブレードを収納するサーバブレード収納筐体上にスイッチモジュールを実装し、前記サーバブレード上に拡張カードを実装し、前記サーバブレード上にＩＯ拡張スロット制御機構を配置し、管理制御部により前記スイッチモジュールと前記拡張カードとの関係から自立的に構成補正を行う。
【発明の効果】
【００１１】
本発明に係るブレード型コンピュータ装置及びブレード型コンピュータ装置の制御方法によれば、人為的ミスをシステム側で補正でき、信頼性を向上できるという効果を奏する。
【図面の簡単な説明】
【００１２】
【図１】本発明に係る一実施形態のブレード型コンピュータ装置のブロック構成図である。
【図２】本発明に係る一実施形態のブレード型コンピュータ装置におけるＩＯ構成整合判定辞書のブロック構成図である。
【図３】本発明に係る一実施形態のブレード型コンピュータ装置の制御方法における拡張スロット制御機構から収集した実装有無値を定める制御動作を説明するフローチャートである。
【図４】本発明に係る一実施形態のブレード型コンピュータ装置の制御方法におけるベースボードマネージドコントローラから収集した実装有無値及びＩＯ提供機能値を定める制御動作を説明するフローチャートである。
【図５】本発明に係る一実施形態のブレード型コンピュータ装置の制御方法におけるスイッチスロットから収集した実装有無値及びＩＯ提供機能値を定める制御動作を説明するフローチャートである。
【図６】本発明に係る一実施形態のブレード型コンピュータ装置の制御方法におけるＩＯ拡張スロット制御機構の信号線結線制御の制御動作を説明するフローチャートである。
【図７】本発明に係る一実施形態のブレード型コンピュータ装置の制御方法における管理サーバ上の画面及びサーバブレードの機能表示部での正常時の表示例である。
【図８】本発明に係る一実施形態のブレード型コンピュータ装置の制御方法における管理サーバ上の画面及びサーバブレードの機能表示部での故障検出時の表示例である。
【発明を実施するための形態】
【００１３】
以下、本発明に係る一実施形態のブレード型コンピュータ装置及びブレード型コンピュータ装置の制御方法について図面を参照して説明する。図１に示すように、本発明に係る一実施形態のブレード型コンピュータ装置１０は、サーバブレード収納筐体１１と、サーバブレード収納筐体１１に収納するサーバブレード１２と、を備える。ブレード型コンピュータ装置１０は、サーバブレード１２上に配置するＩＯ拡張スロット制御機構１３を備える。
【００１４】
ブレード型コンピュータ装置１０は、サーバブレード１２上に実装し、拡張カード１５を有するＩＯ拡張スロット１４及び拡張カード１７を有する拡張スロット１６と、を備える。ブレード型コンピュータ装置１０は、サーバブレード収納筐体１１上に実装し、ＩＯスイッチ２０を実装したスイッチスロット１９及びＩＯスイッチ２２を実装したスイッチスロット２１を備えるスイッチモジュール１８を備える。ブレード型コンピュータ装置１０は、サーバブレード１２上に実装したベースボードマネージドコントローラ２３と、スイッチモジュール１８と拡張カード１５，１７との関係から自立的に構成補正を行う管理制御部２４と、を備える。ブレード型コンピュータ装置１０は、機能表示部２５，２６を備える。
【００１５】
管理制御部２４は、サーバブレード収納筐体１１に搭載されるモジュール情報を集中管理及び制御を司る。具体的に、管理制御部２４は、ベースボードマネージドコントローラ２３に、電源制御を行い、ベースボードマネージドコントローラ２３から、装置情報、障害報告及びＨＷ構成報告を収集する。管理制御部２４は、ＩＯ拡張スロット制御機構１３に、診断指示及び機能表示を行い、ＩＯ拡張スロット制御機構１３から、実装情報、障害報告及び信号線構成報告を収集する。管理制御部２４は、スイッチモジュール１８に、電源制御及び診断指示を行い、スイッチモジュール１８から、装置情報、障害情報及び構成報告を収集する。
【００１６】
管理制御部２４は、ベースボードマネージドコントローラ２３が収集した装置情報と、ＩＯ拡張スロット制御機構１３が収集した実装情報、及びＩＯスイッチ２０，２２から収集した装置情報を基にＩＯ拡張スロット制御機構１３の信号線結線制御を行う。管理制御部２４は、スイッチモジュール１８と拡張カード１５，１７との関係から自立的に構成補正を行う。管理制御部２４は、収集した装置情報に基づいてＩＯ構成整合判定辞書２７（図２参照）のデータを定め、ＩＯ構成整合判定辞書２７を用いて制御の状況を画面表示する。管理制御部２４は、収集した装置情報から実装有無値（有＝１、無＝０）およびＩＯ提供機能値（機能毎に既定値を設定したものを利用）をサーバブレード１２の拡張スロット１４，１６毎にＩＯ構成整合判定辞書２７のデータとして定める。
【００１７】
管理制御部２４は、収集した装置情報から実装有無値（有＝１、無＝０）およびＩＯ提供機能値（機能毎に既定値を設定したものを利用）をスイッチモジュール１８のＩＯスイッチ２０，２２毎にＩＯ構成整合判定辞書２７のデータとして定める。管理制御部２４は、機能提供値（提供機能判定式＝実装有無値×提供機能値）を算出して、ＩＯスイッチ２０，２２から収集及び算出したデータをＩＯ構成整合判定辞書２７として保持する。管理制御部２４は、ＩＯ構成整合判定辞書２７を利用して、機能提供判定値が同値となる拡張スロット１４，１６とスイッチスロット１９，２１間を接続する制御を行う。
【００１８】
管理制御部２４は、ＩＯ構成整合判定辞書２７を用いて制御を行い、拡張カード１５，１７の記憶部に格納された装置情報を収集できないような故障の場合には、管理制御部２４が拡張カード未実装と判断する。そして、管理制御部２４は、サーバブレード起動抑制が働かないといった課題があることを検知して、物理実装検出器をＩＯ拡張スロット制御機構１３に設け、実装情報検出機能を二重化、実装有無値としてＩＯ構成整合判定辞書２７に利用する。これにより、管理制御部２４は、判断精度の向上を図ることができる。
【００１９】
管理制御部２４は、管理サーバ等へＩＯ構成整合判定辞書２７を用いて制御の状況を画面表示する。管理制御部２４は、機能表示部２５，２６により、サーバブレード１２のフロントサイドに拡張スロット搭載情報を容易に確認できる。機能表示部２５，２６は、管理制御部２４がサーバブレード１２の拡張スロット１４，１６の機能提供値に基づいて機能情報の表示を行う。具体的に、機能表示部２５，２６は、ＬＡＮ＝「橙」（ＯＲ）、ＦＣ＝「緑」（ＧＲ）、故障時＝「赤」（ＲＥ）の点灯を行う。
【００２０】
図２に示すように、ＩＯ構成整合判定辞書２７は、ＩＯ拡張スロット制御機構１３にて収集した実装情報により実装有無値（有＝１、無＝０）を定める。ＩＯ構成整合判定辞書２７は、ベースボードマネージドコントローラ２３やスイッチスロット１９，２１から収集した装置情報により、ＩＯ提供機能値（例としてイーサネット（登録商標）＝１、ファイバーチャネル＝２、他＝３、未提供＝０）を定める。
【００２１】
次に、ブレード型コンピュータ装置１０の制御方法において、ＩＯ拡張スロット制御機構１３にて収集した実装情報により実装有無値（有＝１、無＝０）を定める処理の流れについて説明する。図３に示すように、制御動作が起動すると、ＩＯ拡張スロット制御機構１３が実装情報の収集を開始する（Ｓ１０１→Ｓ１０２）。ここで、実装が無いと、実装有無値＝０を定めてＩＯ構成整合判定辞書２７として管理制御部２４に保持する（Ｓ１０３→Ｓ１０４）。これとは異なり、実装が有ると、実装有無値＝１を定めてＩＯ構成整合判定辞書２７として管理制御部２４に保持する（Ｓ１０３→Ｓ１０５）。
【００２２】
次に、ベースボードマネージドコントローラ２３及びＩＯスイッチ２０，２２から収集した装置情報よりＩＯ提供機能値（例としてイーサネット＝１、ファイバーチャネル＝２、他＝３、未提供＝０）を定める処理の流れについて説明する。図４に示すように、まず、サーバブレード１２側におけるＩＯ拡張カードの判定を実行する（Ｓ２０１）。次に、ベースボードマネージドコントローラ２３が装置情報（提供機能）を収集する（Ｓ２０２）。ここで、実装が無いと、実装有無値＝０を定める（Ｓ２０３→Ｓ２０４）。これとは異なり、実装が有ると、実装有無値＝１を定める（Ｓ２０３→Ｓ２０５）。次に、提供機能が無いと、ＩＯ提供機能値＝０を定める（保守へ移行）（Ｓ２０６→Ｓ２０７）。提供機能が有り、装置情報が「ＬＡＮカ−ド」であると、ＩＯ提供機能値＝１を定める（ローカルエリアネットワーク  カード実装）（Ｓ２０８→Ｓ２０９）。提供機能が有り、装置情報が「ＬＡＮカ−ド」ではなく、装置情報がＦＣ  ＨＢＡであると、ＩＯ提供機能値＝２を定める（ファイバチャネル  コントローラ実装）（Ｓ２１０→Ｓ２１１）。そして、提供機能が有り、装置情報が「ＬＡＮカ−ド」であり、装置情報がＦＣ  ＨＢＡではないと、ＩＯ提供機能値＝３を定める（他機能としてサポートしているホストバスアダプタ実装）（Ｓ２１０→Ｓ２１２）。
【００２３】
図５に示すように、スイッチスロット１９，２１側の判定を実行する（Ｓ３０１）。次に、管理制御部２４が装置情報（提供機能）を収集する（Ｓ３０２）。ここで、実装が無いと、実装有無値＝０を定める（Ｓ３０３→Ｓ３０４）。これとは異なり、実装が有ると、実装有無値＝１を定める（Ｓ３０３→Ｓ３０５）。次に、提供機能が無いと、ＩＯ提供機能値＝０を定める（保守へ移行）（Ｓ３０６→Ｓ３０７）。提供機能が有り、装置情報が「イーサネット」であると、ＩＯ提供機能値＝１を定める（イーサネット  スイッチ実装）（Ｓ３０８→Ｓ３０９）。提供機能が有り、装置情報が「イーサネット」ではなく、装置情報がファイバーチャネルであると、ＩＯ提供機能値＝２を定める（ファイバチャネル  スイッチ実装）（Ｓ３１０→Ｓ３１１）。そして、提供機能が有り、装置情報が「イーサネット」であり、装置情報がファイバーチャネルではないと、ＩＯ提供機能値＝３を定める（他機能としてサポートしているスイッチが実装）（Ｓ３１０→Ｓ３１２）。
【００２４】
次に、ブレード型コンピュータ装置１０の制御方法において、実装有無値とＩＯ提供機能値とを用いて提供機能判定値を算出する処理について説明する。図６に示すように、まず、提供機能判定が起動する（Ｓ４０１）。次に、実装有無値＝１ではないと、未実装の表示を行う（Ｓ４０２→Ｓ４０３）。ここで、実装有無値＝１であり、ＩＯ提供機能値＝０ではないことが判別しないと、故障の通報を発令する（Ｓ４０４→Ｓ４０５）。これとは異なり、実装有無値＝１であり、ＩＯ提供機能値＝０ではないことが判別すると、機能提供値を算出する（Ｓ４０４→Ｓ４０６）。次に、算出した機能提供値からＩＯ構成整合判定辞書２７を元に制御動作を実行する（Ｓ４０６→Ｓ４０７）。そして、起動を許可する（Ｓ４０８）。
【００２５】
このようにブレード型コンピュータ装置１０の制御方法では、管理制御部２４が拡張スロット１４，１６の提供機能判定値とスイッチモジュール１８の提供機能判定値が同値となる信号線結線の接続制御命令を行う。そして、その命令に従い、ＩＯ拡張スロット制御機構１３の信号線２８，２９の結線制御を行う。このとき、各モジュール１２，１８で故障（実装有無値＝１、ＩＯ機能提供値＝０）の場合は、サーバブレード１２の起動を抑制する。（故障箇所の表示を行い、保守作業を促す。）これとは異なり、拡張スロット１４，１６が未実装（実装有無値＝０）の場合、スイッチモジュール１８との接続は行わない。（サーバブレード１２の起動は可能。）
【００２６】
そして、スイッチスロット１９，２１と接続が必要な拡張スロット１４，１６側の提供機能に対しスイッチモジュール１８側の接続先が複数存在した場合、拡張スロット１４，１６及びスイッチスロット１９，２１共に若番側から接続する。すなわち、拡張スロット１４−スイッチスロット１９間、拡張スロット１６−スイッチスロット２１の間の順で接続する。スイッチスロット１９，２１との接続が必要な拡張スロット１４，１６側の提供機能に対し、スイッチモジュール１８の接続先が無い場合、サーバブレード１２の起動を抑制する。（故障箇所の表示を行い、保守作業を促す。）
【００２７】
そして、スイッチスロット１９，２１との接続が不要な拡張スロット１４，１６側の提供機能の場合、ＳＷＭとの接続は行わない。（サーバブレード１２は起動可能）管理制御部２４は、ＩＯ構成整合判定辞書２７の値を用いて拡張スロット１４，１６とスイッチスロット１９，２１と間の接続状態や提供機能やサーバブレード１２の起動可否の状況を任意の管理サーバ上の画面に表示する。さらに、管理制御部２４は、サーバブレード１２の機能表示部２５，２６を表示する。
【００２８】
次に、ブレード型コンピュータ装置１０の制御方法における機能表示部２５，２６の具体的な表示について説明する。図７に示すように、サーバブレード１２が正常な構成の場合、ＩＯ構成整合判定辞書２７を用いて拡張スロット１４，１６とスイッチモジュール１８と間の接続状態や提供機能やサーバブレード１２の起動可否の状況を表示する。また、サーバブレード１２の機能表示部２５，２６は、任意の管理サーバ上の画面に表示する。すなわち、機能表示部２５、拡張カード１５の装置情報、スイッチスロット１９の装置情報が、いずれも「橙」（ＯＲ）に点灯する。また、機能表示部２６、拡張カード１７の装置情報、スイッチスロット２１の装置情報が、いずれも「緑」（ＧＲ）に点灯する。
【００２９】
一方、図８に示すように、サーバブレード１２が故障検出の場合、ＩＯ構成整合判定辞書２７を用いて拡張スロット１４をスイッチスロット１９に接続せずに、信号線２８を用いて拡張スロット１４をスイッチスロット２１に接続して自立的に構成補正を行う。すなわち、機能表示部２６、拡張カード１７の装置情報が、「赤」（ＲＥ）に点灯し、スイッチスロット１９の装置情報が、「緑」（ＧＲ）に点灯する。そして、機能表示部２５、拡張カード１５の装置情報、スイッチスロット２１の装置情報が、いずれも「橙」（ＯＲ）に点灯する。
【００３０】
以上、説明したように、一実施形態のブレード型コンピュータ装置１０によれば、スイッチモジュール１８と拡張カード１５，１７との関係から管理制御部２４が自立的に構成補正を行う。従って、ブレード型コンピュータ装置１０によれば、拡張カード１５，１７の搭載位置誤実装といった人為的ミスをシステム側で補正でき、信頼性を向上できる。
【００３１】
また、ブレード型コンピュータ装置１０によれば、管理制御部２４により、サーバブレード収納筐体１１に搭載されるモジュール情報を集中的に管理でき、制御できる。
【００３２】
そして、ブレード型コンピュータ装置１０によれば、管理制御部２４が、収集した装置情報に基づいてＩＯ構成整合判定辞書２７のデータを定めるために、ＩＯ提供機能のみを意識した簡潔な制御をできる。
【００３３】
さらに、ブレード型コンピュータ装置１０によれば、管理制御部２４が、ＩＯ構成整合判定辞書２７を用いて制御の状況を画面表示するために、ユーザーに分かり易くできる。
【００３４】
また、ブレード型コンピュータ装置の制御方法によれば、管理制御部２４により、スイッチモジュール１８と拡張カード１５，１７との関係から自立的に構成補正を行う。従って、ブレード型コンピュータ装置の制御方法によれば、拡張カード１５，１７の搭載位置誤実装といった人為的ミスをシステム側で補正でき、信頼性を向上できる。
【００３５】
そして、ブレード型コンピュータ装置の制御方法によれば、管理制御部２４により、サーバブレード収納筐体１１に搭載されるモジュール情報を集中的に管理でき、制御できる。
【００３６】
さらに、ブレード型コンピュータ装置の制御方法によれば、管理制御部２４が、収集した装置情報に基づいてＩＯ構成整合判定辞書２７のデータを定めるために、ＩＯ提供機能のみを意識した簡潔な制御をできる。
【００３７】
加えて、ブレード型コンピュータ装置の制御方法によれば、管理制御部２４が、ＩＯ構成整合判定辞書２７を用いて制御の状況を画面表示するために、ユーザーに分かり易くできる。
【００３８】
なお、本発明のブレード型コンピュータ装置及びブレード型コンピュータ装置の制御方法は、前述した一実施形態に限定するものでなく、適宜な変形や改良等が可能である。
【００３９】
以上述べたように、本発明のブレード型コンピュータ装置及びブレード型コンピュータ装置の制御方法によれば、人為的ミスをシステム側で補正でき、信頼性を向上できる。以上の結果として、取り扱い性を向上でき、本発明の産業上の利用可能性は大といえる。
【００４０】
上記の実施形態の一部又は全部は、以下の付記のようにも記載され得るが、以下には限定されない。
【００４１】
（付記１）サーバブレード収納筐体と、前記サーバブレード収納筐体に収納するサーバブレードと、前記サーバブレードに実装する拡張カードと、前記サーバブレードに配置するＩＯ拡張スロット制御機構と、前記サーバブレード収納筐体に実装するスイッチモジュールと、前記スイッチモジュールと前記拡張カードとの関係から自立的に構成補正を行う管理制御部とを備えるブレード型コンピュータ装置。
【００４２】
（付記２）前記管理制御部は、前記サーバブレード収納筐体に搭載されるモジュール情報を集中管理、制御を司り、前記ＩＯ拡張スロット制御機構は、前記管理制御部及び前記サーバブレードに実装する付記１に記載のブレード型コンピュータ装置。
【００４３】
（付記３）前記管理制御部は、収集した装置情報に基づいてＩＯ構成整合判定辞書のデータを定める付記１又は２に記載のブレード型コンピュータ装置。
【００４４】
（付記４）前記管理制御部は、前記ＩＯ構成整合判定辞書を用いて制御の状況を画面表示する付記１から３のいずれか一項に記載のブレード型コンピュータ装置。
【００４５】
（付記５）サーバブレードを収納するサーバブレード収納筐体にスイッチモジュールを実装し、前記サーバブレードに拡張カードを実装し、前記サーバブレードにＩＯ拡張スロット制御機構を配置し、管理制御部により前記スイッチモジュールと前記拡張カードとの関係から自立的に構成補正を行うブレード型コンピュータ装置の制御方法。
【００４６】
（付記６）前記管理制御部及び前記サーバブレードに前記ＩＯ拡張スロット制御機構を実装し、前記管理制御部が前記サーバブレード収納筐体に搭載されるモジュール情報を集中管理、制御を司る付記５に記載のブレード型コンピュータ装置の制御方法。
【００４７】
（付記７）前記管理制御部が、収集した装置情報に基づいてＩＯ構成整合判定辞書のデータを定める付記５又は６に記載のブレード型コンピュータ装置の制御方法。
【００４８】
（付記８）前記管理制御部が、前記ＩＯ構成整合判定辞書を用いて制御の状況を画面表示する付記５から７のいずれか一項に記載のブレード型コンピュータ装置の制御方法。
【符号の説明】
【００４９】
１０  ブレード型コンピュータ装置
１１  サーバブレード収納筐体
１２  サーバブレード
１３  ＩＯ拡張スロット制御機構
１５  拡張カード
１６  拡張スロット
１８  スイッチモジュール
２４  管理制御部
２７  ＩＯ構成整合判定辞書
【図１】
2013117897.tif 000003
【図２】
2013117897.tif 000004
【図３】
2013117897.tif 000005
【図４】
2013117897.tif 000006
【図５】
2013117897.tif 000007
【図６】
2013117897.tif 000008
【図７】
2013117897.tif 000009
【図８】
2013117897.tif 000010